(57)【要約】【課題】特装車における補機の使用時にパティキュレートフィルタの昇温制御の実施による補機の作動不良を回避する。【解決手段】エンジン動力をパワーテイクオフ装置１４を介しアイドリング状態で取り出して補機１５を駆動し得るようにした特装車に適用するための排気浄化装置に関し、排気管４の途中に装備された触媒再生型のパティキュレートフィルタ６と、これより上流側で排気ガス３を所定温度以上に昇温する排気昇温手段（燃料噴射装置１０）と、所定時間以上のアイドリング状態の継続が確認された時に排気昇温手段を作動せしめる昇温制御指令（燃料噴射信号１０ａ）を出力する制御装置９とを備え、パワーテイクオフ装置１４のスイッチ（ＰＴＯスイッチ１６）がオンで且つ操作入力が検知された場合に限り制御装置９から昇温制御指令が出力されないようにする。【選択図】図１
2005139944.tif 000002
【特許請求の範囲】
【請求項１】
エンジン動力をパワーテイクオフ装置を介しアイドリング状態で取り出して補機を駆動し得るようにした特装車に適用するための排気浄化装置であって、排気管の途中に装備された触媒再生型のパティキュレートフィルタと、該パティキュレートフィルタより上流側で排気ガスを所定温度以上に昇温する排気昇温手段と、所定時間以上のアイドリング状態の継続が確認された時に前記排気昇温手段を作動せしめる昇温制御指令を出力する制御装置とを備え、パワーテイクオフ装置のスイッチがオンで且つ操作入力が検知された場合に限り前記制御装置から昇温制御指令が出力されないように構成したことを特徴とする排気浄化装置。
【請求項２】
エンジンの各気筒に対し燃料を噴射する燃料噴射装置を排気昇温手段として採用し、該燃料噴射装置に対し通常のアイドリング時より回転数を上げるべくメイン噴射の一回当たりの噴射量を増加し且つ該メイン噴射直後の燃焼可能なタイミングでアフタ噴射を追加する燃料噴射指令が昇温制御指令として制御装置から出力されるように構成したことを特徴とする請求項１に記載の排気浄化装置。
【請求項３】
排気流量を適宜に絞り込む排気絞り手段を排気昇温手段として併用したことを特徴とする請求項２に記載の排気浄化装置。
【発明の詳細な説明】
【技術分野】
【０００１】
本発明は、排気浄化装置に関するものである。
【背景技術】
【０００２】
ディーゼルエンジンから排出されるパティキュレート（Particulate Matter：粒子状物質）は、炭素質から成る煤と、高沸点炭化水素成分から成るＳＯＦ分（Soluble Organic Fraction：可溶性有機成分）とを主成分とし、更に微量のサルフェート（ミスト状硫酸成分）を含んだ組成を成すものであるが、この種のパティキュレートの低減対策としては、排気ガスが流通する排気管の途中に、パティキュレートフィルタを装備することが従来より行われている。
【０００３】
この種のパティキュレートフィルタは、コージェライト等のセラミックから成る多孔質のハニカム構造となっており、格子状に区画された各流路の入口が交互に目封じされ、入口が目封じされていない流路については、その出口が目封じされるようになっており、各流路を区画する多孔質薄壁を透過した排気ガスのみが下流側へ排出されるようにしてある。
【０００４】
そして、排気ガス中のパティキュレートは、前記多孔質薄壁の内側表面に捕集されて堆積するので、目詰まりにより排気抵抗が増加しないうちにパティキュレートを適宜に燃焼除去してパティキュレートフィルタの再生を図る必要があるが、通常のディーゼルエンジンの運転状態においては、パティキュレートが自己燃焼するほどの高い排気温度が得られる機会が少ないため、例えばアルミナに白金を担持させたものに適宜な量のセリウム等の希土類元素を添加して成る酸化触媒を一体的に担持させた触媒再生型のパティキュレートフィルタの実用化が進められている。
【０００５】
即ち、このような触媒再生型のパティキュレートフィルタを採用すれば、捕集されたパティキュレートの酸化反応が促進されて着火温度が低下し、従来より低い排気温度でもパティキュレートを燃焼除去することが可能となるのである。
【０００６】
ただし、この種のパティキュレートフィルタにおいては、排気温度の低いアイドリング状態が長く継続した場合に触媒床温度が低下して活性が下がり、排気ガス中に含まれる未燃燃料の炭化水素がパティキュレートフィルタの酸化触媒上で酸化処理しきれずに徐々に溜まってしまうので、長時間のアイドリング状態を経た後に車両が走行を開始して排気温度が上昇した際に、パティキュレートフィルタに溜まった炭化水素が急激に酸化反応を起こして白煙を生じる虞れがあることが懸念されている。
【０００７】
因みに、このようにアイドリング状態が長く継続してしまうような事態としては、例えば、都心を走る路線バスが激しい渋滞に巻き込まれてしまったような場合や、終点まで到着した路線バスが次の折り返し運行に備えてエンジンをかけたまま待機しているような場合（乗客が着座して待っている場合に冷房等の空調を作動させ続ける必要がある）、或いは、長距離輸送トラックが高速道路等のパーキングでエンジンをかけたまま休憩（仮眠）している場合（冷房等の空調を作動させ続けたい場合）等が想定される。
【０００８】
そして、前述した如きアイドリング状態が長く継続した後の走行開始時における排気ガスの白煙化の対策としては、所定時間以上のアイドリング状態の継続が確認された時に、パティキュレートフィルタより上流側で排気ガスを所定温度以上に昇温する排気昇温手段を作動させ、アイドリング状態が長く継続して大量の炭化水素がパティキュレートフィルタに溜まる前に炭化水素を酸化処理してしまうという昇温制御を用いたものが既に提案されている（例えば先行出願１「特願２００２−８８５０８号明細書」、先行出願２「特願２００２−２９６１７３号明細書」参照）。
【発明の開示】
【発明が解決しようとする課題】
【０００９】
しかしながら、このような昇温制御を車両に実施するに際し、例えば、車両がクレーン車や消防自動車等の特装車（特別装備車）であるような場合には、アイドリング停車した状態でエンジン駆動により補機を使用することになるので、このような補機の使用時に昇温制御が自動的に実行されてしまうと、エンジンの運転状態が急変して補機の作動不良を招く虞れがある。
【００１０】
即ち、上記の先行出願１や先行出願２にも説明されている通り、アイドリング状態での排気ガスの温度及び流量は大幅に低下しているため、メイン噴射の一回当たりの噴射量を増加することで通常のアイドリング時より回転数を上げ、これによりエネルギー投入量を増やして排気ガスの温度及び流量を昇温制御に適したレベルまで引き上げる制御を加える必要があるため、このように通常のアイドリング時より回転数が上昇してしまうことで補機の作動に運転者の予期しない変動が生じることが懸念された。
【００１１】
本発明は上述の実情に鑑みてなしたもので、特装車における補機の使用時に排気ガスの白煙化を防ぐための昇温制御の実施により前記補機に作動不良が起こらないようにすることを目的としている。
【課題を解決するための手段】
【００１２】
本発明は、エンジン動力をパワーテイクオフ装置を介しアイドリング状態で取り出して補機を駆動し得るようにした特装車に適用するための排気浄化装置であって、排気管の途中に装備された触媒再生型のパティキュレートフィルタと、該パティキュレートフィルタより上流側で排気ガスを所定温度以上に昇温する排気昇温手段と、所定時間以上のアイドリング状態の継続が確認された時に前記排気昇温手段を作動せしめる昇温制御指令を出力する制御装置とを備え、パワーテイクオフ装置のスイッチがオンで且つ操作入力が検知された場合に限り前記制御装置から昇温制御指令が出力されないように構成したことを特徴とするものである。
【００１３】
より具体的に本発明を実施するに際しては、例えば、エンジンの各気筒に対し燃料を噴射する燃料噴射装置を排気昇温手段として採用し、該燃料噴射装置に対し通常のアイドリング時より回転数を上げるべくメイン噴射の一回当たりの噴射量を増加し且つ該メイン噴射直後の燃焼可能なタイミングでアフタ噴射を追加する燃料噴射指令が昇温制御指令として制御装置から出力されるように構成することが可能である。
【００１４】
而して、このように排気浄化装置を構成すれば、パワーテイクオフ装置のスイッチをオンにして補機に対する操作を実行した時点で制御装置から排気昇温手段に向けた昇温制御指令の出力が阻止されるので、エンジン動力をパワーテイクオフ装置を介しアイドリング状態で取り出して補機を操作している状況下で回転数の上昇やアフタ噴射の追加等といった昇温制御がかからなくなり、エンジンの運転状態が急変して補機の作動不良を招くといった事態が起こらなくなる。
【００１５】
他方、補機による作業を行わない通常のアイドリング状態、或いは、パワーテイクオフ装置のスイッチがオンになっていても実質的な補機への操作が実行されていないアイドリング状態が所定時間以上継続された場合には、制御装置からの昇温制御指令により排気昇温手段が作動されて排気ガスが所定温度以上に昇温され、これによりパティキュレートフィルタの触媒床温度が高められて酸化触媒の活性化が図られる結果、アイドリング状態が長く継続して大量の炭化水素がパティキュレートフィルタに溜められてしまう前に炭化水素が酸化処理されて放出される。
【００１６】
ここで、燃料噴射装置を排気昇温手段として採用している場合について補足説明しておくと、このようにした場合には、メイン噴射の一回当たりの噴射量が増加されて回転数が上げられることによりエネルギー投入量が増えて排気温度の上昇が図られ、しかも、アフタ噴射による燃料が出力に転換され難いタイミングで燃焼することによりエンジンの熱効率が下がり、燃料の発熱量のうちの動力に利用されない熱量が増えて排気温度の上昇が図られることになる。
【００１７】
尚、このような白煙対策の昇温制御は、パワーテイクオフ装置のスイッチがオンになっていても実質的な補機への操作が実行されない限り実行されるので、闇雲にパワーテイクオフ装置のスイッチがオンになった時点から昇温制御を阻止するよりも効率良くパティキュレートフィルタ内の炭化水素を放出させることが可能となる。
【００１８】
更に、本発明においては、排気流量を適宜に絞り込む排気絞り手段を排気昇温手段として併用することが好ましく、このようにすれば、前述したエンジン側における回転数の上昇とアフタ噴射の追加に併せて排気絞り手段により排気流量が絞り込まれる結果、その上流側の排気ガスが昇温されることで排気温度が上昇されると共に、排気抵抗が高まることにより気筒内に比較的温度の低い吸気が流入し難くなって比較的温度の高い排気ガスの残留量が増加し、この比較的温度の高い排気ガスを多く含む気筒内の空気が次の圧縮行程で圧縮されて爆発行程を迎えることでも更なる排気温度の上昇が図られることになる。
【発明の効果】
【００１９】
上記した本発明の排気浄化装置によれば、エンジン動力をパワーテイクオフ装置を介しアイドリング状態で取り出して補機を操作している状況下で回転数の上昇やアフタ噴射の追加等による昇温制御がかからないようにすることができるので、この昇温制御によりエンジンの運転状態が急変して補機の作動不良を招くといった事態を確実に回避することができ、しかも、パワーテイクオフ装置のスイッチがオンになっていても実質的な補機への操作が実行されない限り昇温制御が極力実行されるようになっているので、補機の作動不良を確実に回避しながらも白煙の発生確率を極力低下させることができるという優れた効果を奏し得る。
【発明を実施するための最良の形態】
【００２０】
以下本発明の実施の形態を図面を参照しつつ説明する。
【００２１】
図１及び図２は本発明を実施する形態の一例を示すもので、本形態例においては、図１に例示している如きクレーン車等の特装車に関し、そのディーゼルエンジン１（エンジン）から排気マニホールド２を介して排出された排気ガス３が流通している排気管４のマフラ５内に、酸化触媒を一体的に担持して成る触媒再生型のパティキュレートフィルタ６を収容させるようにしており、該パティキュレートフィルタ６を抱持するフィルタケース７がマフラ５の外筒を成すようになっている。
【００２２】
即ち、このフィルタケース７の内部には、図２に拡大して示す如きパティキュレートフィルタ６が収容されており、このパティキュレートフィルタ６は、セラミックから成る多孔質のハニカム構造となっており、格子状に区画された各流路６ａの入口が交互に目封じされ、入口が目封じされていない流路６ａについては、その出口が目封じされるようになっており、各流路６ａを区画する多孔質薄壁６ｂを透過した排気ガス３のみが下流側へ排出されるようにしてある。
【００２３】
そして、フィルタケース７の入口部分には、パティキュレートフィルタ６に導入される排気ガス３の温度を触媒床温度の代用値として計測する温度センサ８が装備されており、該温度センサ８の検出信号８ａがエンジン制御コンピュータ（ＥＣＵ：Electronic Control Unit）を成す制御装置９に対し入力されるようになっている。
【００２４】
この制御装置９は、エンジン制御コンピュータを兼ねていることから燃料の噴射に関する制御も担うようになっており、より具体的には、アクセル開度をディーゼルエンジン１の負荷として検出するアクセルセンサ１１（負荷センサ）からのアクセル開度信号１１ａと、ディーゼルエンジン１の機関回転数を検出する回転センサ１２からの回転数信号１２ａとに基づき、ディーゼルエンジン１の各気筒に燃料を噴射する燃料噴射装置１０に向け燃料噴射信号１０ａが出力されるようになっている。
【００２５】
ここで、前記燃料噴射装置１０は、各気筒毎に装備される複数のインジェクタにより構成されており、これら各インジェクタの電磁弁が前記燃料噴射信号１０ａにより適宜に開弁制御されて燃料の噴射タイミング及び噴射量が適切に制御されるようになっている。
【００２６】
そして、前記制御装置９では、アクセル開度信号１１ａ及び回転数信号１２ａに基づき通常モードの燃料噴射信号１０ａが決定されるようになっている一方、後述するアイドリング判定手段により所定時間以上のアイドリング状態の継続が確認された時に、前記温度センサ８の検出温度に基づき所定のインターバル（３０分〜４時間程度）を決定して間欠的に通常モードから昇温モードへの切り替えを行い、この昇温モードに切り替わった際には、図３に示す如く、通常のアイドリング時（約４５０ｒｐｍ程度）より回転数を上げる制御（４５０〜１５００ｒｐｍ程度）を実行するべく圧縮上死点（クランク角０゜）付近で行われていたメイン噴射の一回当たりの噴射量を増加すると共に、該メイン噴射直後の燃焼可能なタイミングでアフタ噴射を追加するような噴射パターンの燃料噴射信号１０ａ（燃料噴射指令）が昇温制御指令として出力されるようになっている。
【００２７】
また、パティキュレートフィルタ６より上流側の適宜位置には、排気管４の流路を適宜な開度に絞り込む開度調整可能な排気ブレーキ２０が装備されており、該排気ブレーキ２０は、制御装置９からの開度指令信号２０ａにより開度制御されるようになっているが、本形態例においては、制御装置９にて昇温モードが選択された際に、排気ブレーキ２０に対し本来の作動から独立した別の作動を指令し、後述する如き排気温度を上げるための排気絞り手段として排気ブレーキ２０を活用できるようにしてある。
【００２８】
また、特に図１中には図示していないが、先に説明したアクセルセンサ１１，回転センサ１２のほか、ギヤ位置がニュートラルポジションにあることを検出するニュートラルスイッチ、サイドブレーキが引かれていることを検出するサイドブレーキスイッチ、車速を検出する車速センサの夫々からの検出信号も制御装置９に入力されるようになっており、これらの検出信号に基づき車両がアイドリング状態にあるか否かが前記制御装置９にて判定されるようになっている。
【００２９】
即ち、前記制御装置９においては、回転センサ１２により比較的低い所定の回転数域であることが確認され、アクセルセンサ１１によりアクセルオフ（負荷が零）が確認され、ニュートラルスイッチによりギヤ位置がニュートラルポジションにあることが確認され、サイドブレーキスイッチによりサイドブレーキが引かれていることが確認され、車速センサにより車速が零であることが確認された時に現在の運転状態がアイドリング状態にあると判定するようになっている。
【００３０】
尚、アイドリング状態の判定にあたっては、これらのセンサ類やスイッチ類からの信号を必ずしも全て必要とするわけではなく、少なくとも回転センサ１２と、アクセルセンサ１１，ニュートラルスイッチ，サイドブレーキスイッチ，車速センサの何れかとの組み合わせによりアイドリング判定手段を構成することが可能であり、また、より確実な判定を行う目的でクラッチ信号等の更なる別の信号を考慮するようにしても良い。
【００３１】
そして、図１に図示している如き特装車にあっては、変速機１３の側面にパワーテイクオフ装置１４が装備されており、変速機１３の副軸歯車からギヤトレーンを介して動力を取り出し得るようにしてあり、この変速機１３から取り出された動力は、パワーテイクオフ装置１４の出力軸から油圧ポンプ等の補機１５へと出力されるようになっているが、その出力のオン・オフについては、パワーテイクオフ装置１４の内部にて行われるようになっている。
【００３２】
ただし、エンジン動力の取り出し方については、前述した如きトランスミッションＰＴＯ方式のほか、変速機１３の前部のフライホイールに設けた歯車から動力を取り出すようにしたフライホイールＰＴＯ方式等といった各種の方式を採用することが可能である。
【００３３】
他方、キャブ内のインストルメントパネルには、エンジン動力をパワーテイクオフ装置１４を介し取り出して補機１５を駆動し得るようにするためのＰＴＯスイッチ１６が配設されており、該ＰＴＯスイッチ１６をオンとすることでオン信号１６ａを受けた制御装置９からＰＴＯ指令信号１４ａがパワーテイクオフ装置１４へ向け出力されて該パワーテイクオフ装置１４の出力がオンとなる一方、キャブ外に別途設置した外部アクセル１７が有効となるようにしてある。
【００３４】
即ち、この外部アクセル１７は、キャブ外の特装用アクセルセンサ１８を特装用レバー１９で操作するように構成されており、ＰＴＯスイッチ１６のオン時に特装用アクセルセンサ１８からの外部アクセル開度信号１８ａがディーゼルエンジン１の制御信号として制御装置９内で電気的に有効化され、キャブ内でアクセルペダルを踏まなくてもディーゼルエンジン１の回転数をキャブ外で制御できるようになっている。
【００３５】
ただし、制御装置９においては、ＰＴＯスイッチ１６のオン信号１６ａが入力され且つ外部アクセル開度信号１８ａに基づき外部アクセル１７の特装用レバー１９の実質的な操作入力が検知されている条件下、つまり、エンジン動力をパワーテイクオフ装置１４を介しアイドリング状態で取り出して補機１５を操作している条件下で再生モードの燃料噴射信号１０ａ（昇温制御指令）が出力されないようにインターロックがかかるようになっており、より具体的には、燃焼噴射制御が通常モードから再生モードへ切り替わらないようになっている。
【００３６】
尚、ここでは補機１５に対する操作を外部アクセル１７で行う場合を例示しているが、補機１５をキャブ内のアクセルペダルで操作することが可能な特装車や、補機１５をキャブ内のアイドルボリューム（暖機運転時等にアイドリング回転数を手動で調整するためのスロットルボタン）で操作することが可能な特装車の場合には、これらアクセルペダルやアイドルボリュームの操作信号を前記外部アクセル開度信号１８ａと同様に扱い、これを補機１５に対する操作入力として制御装置９内で検知させるようにすれば良い。
【００３７】
而して、このように排気浄化装置を構成すれば、キャブ内のＰＴＯスイッチ１６をオンにして補機１５に対する操作（外部アクセル１７の特装用レバー１９の操作）を実行した時点で制御装置９から燃料噴射装置１０に向けた再生モードの燃料噴射信号１０ａ（昇温制御指令）の出力が阻止されるので、エンジン動力をパワーテイクオフ装置１４を介しアイドリング状態で取り出して補機１５を操作している状況下で回転数の上昇やアフタ噴射の追加による昇温制御がかからなくなり、ディーゼルエンジン１の運転状態が急変して補機１５の作動不良を招くといった事態が起こらなくなる。
【００３８】
例えば、図４に示す如く、既に所定時間以上のアイドリング状態の継続が確認されて昇温制御がかかっていたとしても、ＰＴＯスイッチ１６がオンの状態で外部アクセル１７の特装用レバー１９が操作されたことが制御装置９で検知されると、直ちに制御装置９内で昇温制御がキャンセルされて再生モードの燃料噴射信号１０ａが出力されなくなり、外部アクセル１７の特装用レバー１９で制御装置９に入力される補機１５の手動操作が優先されることになる。
【００３９】
他方、補機１５による作業を行わない通常のアイドリング状態、或いは、ＰＴＯスイッチ１６がオンになっていても実質的な補機１５への操作が実行されていないアイドリング状態が所定時間以上継続された場合には、制御装置９から再生モードの燃料噴射信号１０ａ（昇温制御指令）が出力されるので、これを受けた燃料噴射装置１０によりメイン噴射の一回当たりの噴射量が増加されて回転数が上げられ、これにより各気筒へのエネルギー投入量が増えて排気温度の上昇が図られ、しかも、アフタ噴射による燃料が出力に転換され難いタイミングで燃焼することでディーゼルエンジン１の熱効率が下がり、燃料の発熱量のうちの動力に利用されない熱量が増えて排気温度の上昇が図られることになる。
【００４０】
また、特に本形態例では、排気流量を適宜に絞り込む排気絞り手段を成す排気ブレーキ２０を排気昇温手段として併用しているので、前述したディーゼルエンジン１側における回転数の上昇とアフタ噴射の追加に合わせて排気ブレーキ２０で排気流量が絞り込まれ、その上流側の排気ガス３が昇温されることで排気温度が上昇されると共に、排気抵抗が高まることにより気筒内に比較的温度の低い吸気が流入し難くなって比較的温度の高い排気ガス３の残留量が増加し、この比較的温度の高い排気ガス３を多く含む気筒内の空気が次の圧縮行程で圧縮されて爆発行程を迎えることでも更なる排気温度の上昇が図られることになる。
【００４１】
そして、このようにしてパティキュレートフィルタ６の上流側で排気ガス３が昇温されると、結果的にパティキュレートフィルタ６の触媒床温度が高められて酸化触媒の活性化が図られることになり、アイドリング状態が長く継続して大量の炭化水素がパティキュレートフィルタ６に溜められてしまう前に炭化水素が酸化処理されて放出されることになる。
【００４２】
尚、このような白煙対策の昇温制御は、ＰＴＯスイッチ１６がオンになっていても実質的な補機１５への操作が実行されない限り実行されるので、闇雲にＰＴＯスイッチ１６がオンになった時点から昇温制御を阻止するよりも効率良くパティキュレートフィルタ６内の炭化水素を放出させることが可能となる。
【００４３】
従って、上記形態例によれば、エンジン動力をパワーテイクオフ装置１４を介しアイドリング状態で取り出して補機１５を操作している状況下で回転数の上昇やアフタ噴射の追加による昇温制御がかからないようにすることができるので、この昇温制御によりディーゼルエンジン１の運転状態が急変して補機１５の作動不良を招くといった事態を確実に回避することができ、しかも、ＰＴＯスイッチ１６がオンになっていても実質的な補機１５への操作が実行されない限り昇温制御が極力実行されるようになっているので、補機１５の作動不良を確実に回避しながらも白煙の発生確率を極力低下させることができる。
【００４４】
尚、本発明の排気浄化装置は、上述の形態例にのみ限定されるものではなく、排気昇温手段には図示する例以外の構成を採用しても良いこと、また、パティキュレートフィルタの前段には適宜にフロースルー型の酸化触媒を配置しても良いこと、排気絞り手段を排気ブレーキとは別に設けても良いこと、その他、本発明の要旨を逸脱しない範囲内において種々変更を加え得ることは勿論である。
【図面の簡単な説明】
【００４５】
【図１】本発明を実施する形態の一例を示す概略図である。
【図２】図１のパティキュレートフィルタの詳細を示す断面図である。
【図３】図１の制御装置による回転数制御のパターンを示すグラフである。
【図４】図３のグラフで昇温制御が中断した場合を例示するグラフである。
【符号の説明】
【００４６】
１  ディーゼルエンジン（エンジン）
３  排気ガス
６  パティキュレートフィルタ
９  制御装置
１０  燃料噴射装置（排気昇温手段）
１０ａ  燃料噴射信号（昇温制御指令）
１４  パワーテイクオフ装置
１５  補機
１６  ＰＴＯスイッチ（パワーテイクオフ装置のスイッチ）
１６ａ  オン信号
１７  外部アクセル
１８ａ  外部アクセル開度信号（操作入力）
１９  特装用レバー
２０  排気ブレーキ（排気絞り手段）
２０ａ  開度指令信号（昇温制御指令）
【図１】
2005139944.tif 000003
【図２】
2005139944.tif 000004
【図３】
2005139944.tif 000005
【図４】
2005139944.tif 000006